(57)【要約】【課題】  毛髪染毛料を確実に貯留し、塗布部材によって毛髪染毛料を塗布しながら同時に梳くことで、染毛操作を簡単かつ確実に行い塗布ムラを少なくし、速やかに全体を染めることができる。【解決手段】  染毛用塗布具１１は、所定間隔離して並列に形成された毛髪染毛料２を塗布する塗布部材１４ａを有する塗布部材列部１４と、塗布部材列部１４の間に形成された中間壁１５と、塗布部材列部１４と中間壁１５との間に形成された毛髪染毛料２を収容する収容部１６とを有する。また、裏面位置に整髪部材を有する整髪部材列部１７を有する。また、塗布部材列部１４と中間壁１５との間に開口２２ａして毛髪染毛料を供給する供給通路２２と、供給通路２２と連通し押圧によって貯留する毛髪染毛料２を供給する可撓性容器部２１とを有する。【選択図】図１
2010155014.tif 000002
【特許請求の範囲】
【請求項１】
所定間隔離して並列に形成された毛髪染毛料を塗布する塗布部材を有する塗布部材列部と、
前記塗布部材列部の間に形成された中間壁と、
前記塗布部材列部と前記中間壁との間に形成された毛髪染毛料を貯留する収容部と、
を有することを特徴とする染毛用塗布具。
【請求項２】
髪を整髪する整髪部材を有する整髪部材列部を有することを特徴とする請求項１に記載の染毛用塗布具。
【請求項３】
前記塗布部材列部と前記中間壁との間に開口して毛髪染毛料を供給する供給通路と、
前記供給通路と連通し押圧によって貯留する毛髪染毛料を供給する可撓性容器部と、
を有することを特徴とする請求項１に記載の染毛用塗布具。
【発明の詳細な説明】
【技術分野】
【０００１】
この発明は、例えば酸化染毛剤、毛髪脱色剤やヘアマニキュア（酸性染毛料）等の毛髪染毛料を、頭髪に直接塗布するように構成した染毛用塗布具に関するものである。
【背景技術】
【０００２】
従来の染毛用塗布具としては、例えば特開２００１−４６１４０号公報（特許文献１）に記載の染毛用塗布具、実用新案登録第３１０１０１６号公報（特許文献２）に記載の毛染めブラシが知られている。
【０００３】
特許文献１に記載の染毛用塗布具は、毛髪染毛料を収容する外容器と、その外容器の内部に設けられた内容器と、外容器の口筒部に設けられた櫛柄部と、その櫛柄部に突設された複数の櫛歯とにより構成され、櫛歯は可撓性を有する合成樹脂によって形成され、櫛歯には、吐出口が隣の列の櫛歯に形成された吐出口と互いに対向するように配置され、櫛歯によって細かい染毛操作や生え際染毛を行うものがある。
【０００４】
また、特許文献２に記載の毛染めブラシは、下方に柄部を有するブラシ台が左右横長に形成されており、ブラシ台の上端面には、多数のブリッスル束が左右長手方向にわたって定ピッチで植設されたブリッスル列と、多数本の櫛歯が左右長手方向にわたって定ピッチで列設された櫛歯列とを備え、隣接する櫛歯間に、前後のブリッスル列の各ブリッスル束がそれぞれ臨んで、各櫛歯の上下高さ寸法は、ブリッスル束の上下高さ寸法よりも短くし、毛髪染毛料が櫛歯に付着することを抑えながら、ブリッスル束で毛髪染毛料を髪に塗り付ける作業と、櫛歯で髪を梳く作業とを行なえるものがある。
【先行技術文献】
【特許文献】
【０００５】
【特許文献１】特開２００１−４６１４０号公報
【特許文献２】実用新案登録第３１０１０１６号公報
【発明の概要】
【発明が解決しようとする課題】
【０００６】
ところで、特許文献１に記載の染毛用塗布具は、細かい染毛操作や、生え際染毛を行うことはできるが、櫛歯の吐出口から供給される毛髪染毛料が少量であり、速やかに全体を染めることができなかった。
【０００７】
また、特許文献２に記載の毛染めブラシは、ブリッスル束で毛髪染毛料を髪に塗り付ける作業と、櫛歯で髪を梳く作業とを行なえるが、毎回毛髪染毛料を付けてから塗布しなければならなかったため、操作が面倒であり、速やかに全体を染めることができなかった。      
【０００８】
この発明は、以上の点を考慮してなされたもので、毛髪染毛料を確実に貯留し、塗布部材によって毛髪染毛料を塗布しながら同時に梳くことで、染毛操作を簡単かつ確実に行い、適量の毛髪染毛料を塗布し、しかも塗布ムラを少なくし、速やかに全体を染めることができる染毛用塗布具を提供することを目的としている。
【課題を解決するための手段】
【０００９】
前記課題を解決し、かつ目的を達成するために、この発明は、以下のように構成した。
【００１０】
請求項１に記載の発明は、所定間隔離して並列に形成された毛髪染毛料を塗布する塗布部材を有する塗布部材列部と、
前記塗布部材列部の間に形成された中間壁と、前記塗布部材列部と前記中間壁との間に形成された毛髪染毛料を貯留する収容部と、  
を有することを特徴とする染毛用塗布具である。
【００１１】
請求項２に記載の発明は、髪を整髪する整髪部材を有する整髪部材列部を有することを特徴とする請求項１に記載の染毛用塗布具である。
請求項３に記載の発明は、前記塗布部材列部と前記中間壁との間に開口して毛髪染毛料を供給する供給通路と、
前記供給通路と連通し押圧によって貯留する毛髪染毛料を供給する可撓性容器部と、
を有することを特徴とする請求項１に記載の染毛用塗布具である。
【発明の効果】
【００１２】
前記構成により、この発明は、以下のような効果を有する。
【００１３】
請求項１に記載の発明では、塗布部材列部と中間壁との間に形成された収容部に多量の毛髪染毛料を確実に貯留することができ、かつ塗布部材によって毛髪染毛料を塗布しながら同時に梳くことで、染毛操作を簡単かつ確実に行い、適量の毛髪染毛料を塗布し、しかも塗布ムラを少なくし、速やかに全体を染めることができる。
【００１４】
請求項２に記載の発明では、整髪部材列部によって、毛髪染毛料の付着量を調節したり、細かい染毛操作や生え際染毛を簡単に整えることができる。
【００１５】
請求項３に記載の発明では、可撓性容器部の押圧操作によって、可撓性容器部から毛髪染毛料を、例えば手を汚すことなく簡単かつ自由に供給通路を介して塗布部材列部と中間壁との間の開口から収容部に供給することができる。
【図面の簡単な説明】
【００１６】
【図１】第１の実施の形態の染毛用塗布具の斜視図である。
【図２】染毛用塗布具の断面図である。
【図３】染毛用塗布具に毛髪染毛料を供給する状態の斜視図である。
【図４】染毛用塗布具を使用する状態を示す図である。
【図５】第２の実施の形態の染毛用塗布具の斜視図である。
【図６】第３の実施の形態の染毛用塗布具の斜視図である。
【図７】第４の実施の形態の染毛用塗布具の斜視図である。
【図８】第５の実施の形態の染毛用塗布具の斜視図である。
【図９】第６の実施の形態の染毛用塗布具の斜視図である。
【図１０】第７の実施の形態の染毛用塗布具の斜視図である。
【図１１】第８の実施の形態の染毛用塗布具の塗布部の平面図である。
【図１２】染毛用塗布具の塗布部の断面図である。
【図１３】第９の実施の形態の染毛用塗布具の斜視図である。
【図１４】染毛用塗布具の平面図である。
【発明を実施するための形態】
【００１７】
以下、この発明の染毛用塗布具の実施の形態について説明する。この発明の実施の形態は、発明の最も好ましい形態を示すものであり、この発明はこれに限定されない。
［第１の実施の形態］
（染毛用塗布具の構成）
以下、第１の実施の形態を、図１及び図２に基づいて説明する。図１は染毛用塗布具の斜視図、図２は染毛用塗布具の断面図である。
【００１８】
この実施の形態の染毛用塗布具１１は、柄部１２と、柄部１２に形成された塗布部１３から構成されている。塗布部１３は、塗布部材列部１４と、中間壁１５と、収容部１６とを有する。
【００１９】
塗布部材列部１４は、所定間隔離して並列に形成された毛髪染毛料を塗布する複数の塗布部材１４ａを有する。この塗布部材１４ａは、櫛歯であり、複数の櫛歯が１列直線状に形成されているが、櫛歯に限らず、ブラシなどでも良く、しかも２列等複数列でも良い。複数列の場合には、櫛歯やブラシなどが並列でも、千鳥状に並べて形成しても良い。
塗布部材列部１４の基部には、並列に形成された塗布部材１４ａを連結するように連結部１４ｂが形成され、先端部には支点部１４ｃが形成されている。
【００２０】
中間壁１５は、並列の塗布部材列部１４の間に形成され、塗布部材列部１４に対応した長さになっている。また、先端部１５ａの高さは塗布部材１４ａの高さより低くなっているが、同じ程度の高さでも良い。また、先端部１５ａの形状は、連続した凹凸状になっているが、直線状などでもよい。中間壁１５の基部１５ｂは、二股に分かれて塗布部材列部１４に連続し、しかも毛髪染毛料を貯留しかつ塗布が容易にできるように凹むような曲面でそれぞれの塗布部材列部１４に連続している。      
【００２１】
収容部１６は、塗布部材列部１４と中間壁１５との間に形成されている。この収容部１６は空間で形成され、収容部１６には毛髪染毛料が貯留される。染毛用塗布具１１の材質は、耐薬品性、成形性及び強靱性に優れた合成樹脂を用いるのが望ましい。染毛用塗布具１１を形成する材料として具体的には、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体けん化物（ＥＶＯＨ）、ポリアクリロニトリル、ポリエチレンテレフタレート（ＰＥＴ）、ポリプロピレン（ＰＰ）、ポリエステル、ポリ塩化ビニル及びナイロンの単層、又は積層、若しくはブレンド物を層状に形成したものが挙げられる。最も好ましくは、低密度ポリエチレン（ＬＤＰＥ）の単層、又は高密ポリエチレン（ＨＤＰＥ）、中密度ポリエチレン（ＭＤＰＥ）、直鎖状低密度ポリエチレン（ＬＬＤＰＥ）との積層、若しくはブレンド物を層状に形成したものが挙げられる。
毛髪染毛料として、染毛剤があり、この染毛剤の中には毛髪脱色剤も含まれる。また、二剤式染毛剤としては、酸化染毛剤、毛髪脱色剤等が挙げられる。酸化染毛剤の場合、第１剤には酸化染料中間体や直接染料といった染料のほか、アルカリ剤としてのアンモニア等が配合され、第２剤には酸化剤としての過酸化水素のほか、安定剤、ｐＨ調整剤等が配合されている。また、毛髪脱色剤の場合には、第１剤は前記酸化染毛剤の第１剤から染料を除いたものが使用され、第２剤は前記酸化染毛剤の第２剤と同成分のものが使用される。
（染毛用塗布具の使用）
次に、前記のように構成された染毛用塗布具の使用を、図３及び図４に基づいて説明する。図３は染毛用塗布具に毛髪染毛料を供給する状態の斜視図、図４は染毛用塗布具を使用する状態を示す図である。
【００２２】
まず、容器１から毛髪染毛料２を、図３に示すように、染毛用塗布具１１の収容部１６に供給すると、この毛髪染毛料２は収容部１６に沿って保持された状態で貯留される。
この染毛用塗布具１１の櫛柄部１２を持って、塗布部材列部１４の塗布部材１４ａによって、図４（ａ）に示すように、中間壁１５によって髪を分けて色々の方向から梳きながら同時に毛髪染毛料２を髪に塗布する。この染毛用塗布具１１では、塗布部材列部１４と中間壁１５との間に形成された収容部１６に多量の毛髪染毛料２を確実に貯留することができ、かつ塗布部材１４ａによって毛髪染毛料２を塗布しながら同時に梳くことで、染毛操作を簡単かつ確実に行い、適量の毛髪染毛料を塗布し、しかも塗布ムラを少なくし、速やかに全体を染めることができる。
【００２３】
また、染毛用塗布具１１の使用は、並列の塗布部材１４ａを直立させての使用から逆方向に傾斜させての使用までの操作を行い、毛髪染毛料２を塗布しながら同時に梳くことで確実な塗布ができる。特に、並列の塗布部材１４ａを直立させての使用は、細かい染毛操作や生え際染毛などに好ましい。
【００２４】
中間壁１５は、毛髪染毛料２を保持した状態で貯留すると共に、髪を適量に分けて先端部１５ａの連続した凹凸状によって毛髪染毛料２を一度に髪に塗布することなく、徐々に塗布することができる。例えば、図４（ｂ）に示すように、中間壁１５の先端部１５ａの方向から髪を梳きながら同時に毛髪染毛料２を髪に塗布すると、先端部１５ａの連続した凹凸状によって髪を適量に分けて毛髪染毛料２を塗布し、塗布部材１４ａによって髪を梳き毛髪染毛料２を均一にする。また、例えば、図４（ｃ）に示すように、塗布部材１４ａの方向から髪を梳きながら同時に毛髪染毛料２を髪に塗布すると、塗布部材１４ａによって髪を整列して毛髪染毛料２を塗布し、中間壁１５の先端部１５ａによって髪をしごき毛髪染毛料２を均一にする。
【００２５】
また、この染毛用塗布具１１の使用は、例えば、髪の生え際や襟足の塗布を行なう場合には、支点部１４ｃの先端部１４ｃ１を頭皮に当てて支点として、並列の塗布部材１４ａの使用角度を定める。最初は並列の塗布部材１４ａを頭皮に対して直角に当てて、横移動の塗布を行う。次に、例えば、３０〜４０度位に倒して片側の塗布部材１４ａのみで塗布を行う。次に、例えば、５０〜８０度位に寝かせた状態で片側の塗布部材１４ａのみで塗布を行う。最初の横移動を行った後は、並列の塗布部材１４ａの角度を任意の選定によって塗布を行えばよい。
【００２６】
この支点部１４ｃの使い方は、現在塗布した場所でなく、次に塗布する位置に定めることが望ましい。すなわち、現在毛髪染毛料２を塗布したところは、毛髪染毛料２で濡れていて中間壁１５に毛髪染毛料２が付着することになり、その中間壁１５に付着した毛髪染毛料２が皮膚に塗られることになるからである。
支点部１４ｃは、塗布部材１４ａの角度調整が重要な役割であるが、特に生え際の根元への塗布は皮膚に着かない微妙な塗布部材１４ａの位置が求められる。
【００２７】
［第２の実施の形態］
（染毛用塗布具の構成）
次に、第２の実施の形態を、図５に基づいて説明する。図５は染毛用塗布具の斜視図である。
【００２８】
この第２の実施の形態では、第１の実施の形態と同じ構成は同じ符号を付して説明を省略する。この染毛用塗布具１１は、柄部１２と、柄部１２に形成された塗布部１３から構成され、塗布部材１４ａは、櫛歯であり、断面が円形に形成されているが、ブラシでも良い。中間壁１５は、先端部１５ａの高さは塗布部材１４ａの高さより低くなっているが、先端部１５ａに所定間隔で突起１５ｅが形成されている。
（染毛用塗布具の使用）
この染毛用塗布具の使用も第１の実施の形態と同様であるが、中間壁１５の突起１５ｅによって毛髪染毛料２を一度に髪に塗布することなく、徐々に塗布することができる。
例えば、中間壁１５の突起１５ｅの方向から髪を梳きながら同時に毛髪染毛料２を髪に塗布すると、突起１５ｅによって髪を適量に分けて毛髪染毛料２を塗布し、塗布部材１４ａによって髪を梳き毛髪染毛料２を均一にする。また、例えば、塗布部材１４ａの方向から髪を梳きながら同時に毛髪染毛料２を髪に塗布すると、塗布部材１４ａによって髪を整列して毛髪染毛料２を塗布し、中間壁１５の突起１５ｅによって髪をしごき毛髪染毛料２を均一にする。
［第３の実施の形態］
（染毛用塗布具の構成）
次に、第３の実施の形態を、図６に基づいて説明する。図６は染毛用塗布具の斜視図である。
【００２９】
この第３の実施の形態では、第１の実施の形態と同じ構成は同じ符号を付して説明を省略する。この染毛用塗布具１１は、柄部１２と、柄部１２に形成された塗布部１３から構成され、塗布部材１４ａは、ブラシであり、断面が円形に形成されている。この塗布部材１４ａは３列の複数列に形成され、ブラシが並列であるが、千鳥状に並べて形成しても良い。また、中間壁１５は、先端部１５ａの高さは凹凸等を形成しないで、塗布部材１４ａの高さと略同じ高さに形成されている。
（染毛用塗布具の使用）
この染毛用塗布具の使用も第１の実施の形態と同様であるが、中間壁１５が支点として作用するが、この実施の形態では、塗布部材１４ａが３列の複数列に形成されているため、塗布部材１４ａによって梳くことで、細かい染毛操作や生え際染毛を簡単に行い毛髪染毛料２を確実に塗布することができ、しかも、速やかに全体を染めることができる。
［第４の実施の形態］
（染毛用塗布具の構成）
次に、第４の実施の形態を、図７に基づいて説明する。図７は染毛用塗布具の斜視図である。
【００３０】
この第４の実施の形態では、第１の実施の形態と同じ構成は同じ符号を付して説明を省略する。この染毛用塗布具１１は、柄部１２と、柄部１２に形成された塗布部１３から構成され、裏面位置に整髪部材１７ａを有する整髪部材列部１７を有する。
整髪部材列部１７は、塗布部材列部１４に対向して裏面位置に形成され、整髪部材１７ａの長さは塗布部材１４ａの長さより短く形成され、櫛歯である。
（染毛用塗布具の使用）
この染毛用塗布具の使用も第１の実施の形態と同様であるが、整髪部材列部１７の整髪部材１７ａによって、毛髪染毛料２の付着量を調節したり、細かい染毛操作や生え際染毛を簡単に整えることができる。
［第５の実施の形態］
（染毛用塗布具の構成）
次に、第５の実施の形態を、図８に基づいて説明する。図８は染毛用塗布具の斜視図である。
【００３１】
この第５の実施の形態では、第１の実施の形態と同じ構成は同じ符号を付して説明を省略する。塗布部材１４ａはブラシを用いているが、櫛歯でもよい。
【００３２】
この染毛用塗布具１１は、塗布部１３に可撓性容器部２１が着脱可能に設けられている。可撓性容器部２１には使用時に毛髪染毛料が貯留され、この可撓性容器部２１は塗布部１３に形成された供給通路２２と連通している。供給通路２２は、塗布部材列部１４と中間壁１５との間に開口２２ａしている。
【００３３】
使用時に可撓性容器部２１を手で持って握り、可撓性容器部２１を押圧すると、内部に貯留された毛髪染毛料２が供給通路２２を通って開口２２ａから収容部１６に供給される。開口２２ａは、中間壁１５に沿って形成された１個の長い開口でも良く、また複数個の短い開口でも良い。
（染毛用塗布具の使用）
この染毛用塗布具の使用も第１の実施の形態と同様であるが、可撓性容器部２１に毛髪染毛料２を入れて塗布部１３に取り付ける。そして、可撓性容器部２１を手で持って握り、可撓性容器部２１を押圧すると、内部に貯留された毛髪染毛料２が供給通路２２を通って開口２２ａから収容部１６に供給され、これと同時に塗布部材１４ａで髪を色々の方向から梳きながら毛髪染毛料２を髪に塗布する。
【００３４】
この実施の形態では、可撓性容器部２１の押圧操作によって、可撓性容器部２１から毛髪染毛料２を、例えば手を汚すことなく簡単かつ自由に供給通路２２を介して塗布部材列部１４と中間壁１５との間の開口２２ａから収容部１６に供給し、毎回毛髪染毛料２を付ける必要がなく、簡単に染毛操作を行うことができる。
【００３５】
［第６の実施の形態］
（染毛用塗布具の構成）
次に、第６の実施の形態を、図９に基づいて説明する。図９は染毛用塗布具の斜視図である。      
【００３６】
この第６の実施の形態では、第５の実施の形態と同じ構成は同じ符号を付して説明を省略する。この染毛用塗布具１１は、塗布部１３に形成された中間壁１５の先端部１５ｆが櫛歯になっている。この先端部１５ｆの櫛歯は、両側の塗布部材列部１４と同じ高さになっており、先端部１５ｆの櫛歯によって細かい染毛操作や生え際染毛を行うことができる。
（染毛用塗布具の使用）
この染毛用塗布具の使用も第５の実施の形態と同様であるが、可撓性容器部２１の押圧操作によって、可撓性容器部２１から毛髪染毛料２を、例えば手を汚すことなく簡単かつ自由に供給通路２２を介して塗布部材列部１４と中間壁１５との間の開口２２ａから収容部１６に供給し、先端部１５ｆの櫛歯によって細かい染毛操作や生え際染毛を行うことができる。
［第７の実施の形態］
（染毛用塗布具の構成）
次に、第７の実施の形態を、図１０に基づいて説明する。図１０は染毛用塗布具の斜視図である。
【００３７】
この第７の実施の形態では、第５の実施の形態と同じ構成は同じ符号を付して説明を省略する。この染毛用塗布具１１は、塗布部１３に形成された中間壁１５の先端部１５ｆが凹凸になっている。この先端部１５ｆの凸の部分は、両側の塗布部材列部１４と同じ高さになっており、先端部１５ｆの凹凸によって細かい染毛操作や生え際染毛を行うことができる。
（染毛用塗布具の使用）
この染毛用塗布具の使用も第５の実施の形態と同様であるが、可撓性容器部２１の押圧操作によって、可撓性容器部２１から毛髪染毛料２を、例えば手を汚すことなく簡単かつ自由に供給通路２２を介して塗布部材列部１４と中間壁１５との間の開口２２ａから収容部１６に供給し、先端部１５ｆの凹凸によって細かい染毛操作や生え際染毛を行うことができる。
［第８の実施の形態］
（染毛用塗布具の構成）
次に、第８の実施の形態を、図１１及び図１２に基づいて説明する。図１１は染毛用塗布具の塗布部の平面図、図１２は染毛用塗布具の塗布部の断面図である。
この第８の実施の形態では、第５の実施の形態と同じ構成は同じ符号を付して説明を省略する。この染毛用塗布具１１は、塗布部１３に形成された並列の塗布部材列部１４の両端部に連結壁３０を設け、供給通路２２の開口２２ａが中間壁１５の両側に形成されている。
【００３８】
供給通路２２は、図１２に示すように、中間壁１５と対向する位置に形成されており、中間壁１５の基部に形成した通路内壁１５ｇをそれぞれの塗布部材列部１４に向けて傾斜させることで、開口２２ａから毛髪染毛料２を塗布部材列部１４に向けて供給することができるようになっている。
（染毛用塗布具の使用）
この染毛用塗布具の使用も第５の実施の形態と同様であるが、中間壁１５の基部に形成した通路内壁１５ｇをそれぞれの塗布部材列部１４に向けて傾斜させる簡単な通路構成によって、開口２２ａから毛髪染毛料２を塗布部材列部１４に向けて確実に供給することができる。
［第９の実施の形態］
（染毛用塗布具の構成）
次に、第９の実施の形態を、図１３及び図１４に基づいて説明する。図１３は染毛用塗布具の斜視図、図１４は染毛用塗布具の平面図である。この第９の実施の形態では、第５の実施の形態と同じ構成は同じ符号を付して説明を省略する。この染毛用塗布具１１は、櫛柄部１２と、櫛柄部１２に形成された塗布部１３を有し、櫛柄部１２に可撓性容器部２１が着脱可能に設けられている。
【００３９】
可撓性容器部２１は塗布部１３に形成された供給通路２２と連通し、供給通路２２は蓋体２５によって塞がれ、塗布部材列部１４と中間壁１５との間に開口２２ａしている。開口２２ａは、中間壁１５に沿って形成された１個の長い開口でも良く、また複数個の短い開口でも良い。
（染毛用塗布具の使用）
この染毛用塗布具の使用も第１の実施の形態と同様であるが、可撓性容器部２１の押圧操作によって、可撓性容器部２１から毛髪染毛料２を、例えば手を汚すことなく簡単かつ自由に供給通路２２を介して塗布部材列部１４と中間壁１５との間の開口２２ａから収容部１６に供給して塗布することができ、しかも、速やかに全体を染めることができる。
【産業上の利用可能性】
【００４０】
この発明は、例えば酸化染毛剤、毛髪脱色剤やヘアマニキュア（酸性染毛料）等の毛髪染毛料を、頭髪に直接塗布するように構成した染毛用塗布具に適用可能であり、毛髪染毛料を確実に貯留し、塗布部材によって毛髪染毛料を塗布しながら同時に梳くことで、染毛操作を簡単かつ確実に行い塗布ムラを少なくし、速やかに全体を染めることができる。
【符号の説明】
【００４１】
１１  染毛用塗布具
１２  柄部
１３  塗布部
１４  塗布部材列部
１４ａ  塗布部材
１４ｂ  蓋部
１４ｃ  延出部
１５  中間壁
１６  収容部
２１  可撓性容器部
２２  供給通路
２２ａ  開口
【図１】
2010155014.tif 000003
【図２】
2010155014.tif 000004
【図３】
2010155014.tif 000005
【図４】
2010155014.tif 000006
【図５】
2010155014.tif 000007
【図６】
2010155014.tif 000008
【図７】
2010155014.tif 000009
【図８】
2010155014.tif 000010
【図９】
2010155014.tif 000011
【図１０】
2010155014.tif 000012
【図１１】
2010155014.tif 000013
【図１２】
2010155014.tif 000014
【図１３】
2010155014.tif 000015
【図１４】
2010155014.tif 000016